(57)【要約】【課題】リテーナを移動する際の作業効率を改善する。【解決手段】リテーナ５０は、ハウジング２０の両側面を覆うように組み付けられる一対の側板５２を有し、側板５２の内面には、ハウジング２０の両側面に設けられた本係止部３４を係止することでリテーナ５０を本係止位置に保持するロック部５５が設けられている。両側板５２は、その上端縁に、治具７０の本係止解除部７２と係合してリテーナ５０に仮係止位置側への押圧力を付与する前下がりの第１斜面部６５を有しているとともに、その下端縁に、治具７０の仮係止解除部７４と係合してリテーナ５０に本係止位置側への押圧力を付与する後上がりの第２斜面部６６を有している。【選択図】図１
2010062055.tif 000002
【特許請求の範囲】
【請求項１】
端子金具を挿抜可能なキャビティを有するハウジングと、
前記ハウジングに対して前記端子金具の挿抜方向と交差する側方から装着され、かつ前記キャビティ内に進入して前記端子金具を抜け止めする本係止位置と、前記キャビティ外へ退避して前記端子金具の挿抜を許容する仮係止位置とに移動可能とされるリテーナとを備えたコネクタであって、
前記リテーナは、前記ハウジングの両側面を覆うように組み付けられる一対の側板を有し、前記側板の内面には、前記ハウジングの両側面に設けられたロック受部を係止することで前記リテーナを前記本係止位置に保持するロック部が設けられ、
前記側板は、
前記仮係止位置から前記本係止位置への移動方向前方の端縁に、前記端子金具の挿入方向前方へ行くに従って前記仮係止位置側に向けて傾斜する第１斜面部を有するとともに、
前記本係止位置から前記仮係止位置への移動方向前方の端縁に、前記端子金具の抜出方向前方へ行くに従って前記本係止位置側に向けて傾斜する第２斜面部を有していることを特徴とするコネクタ。
【請求項２】
前記ロック部と前記ロック受部の少なくとも一方は、所定以上の力が作用した場合にその本係止状態を解除するセミロック構造とされ、前記本係止位置から前記仮係止位置への移動方向に傾斜する斜面を有している請求項１記載のコネクタ。
【請求項３】
前記ロック部が、前記側板の内面における前記仮係止位置から前記本係止位置への移動方向前方の端縁寄りの位置に設けられている請求項１又は２記載のコネクタ。
【請求項４】
前記ロック部が、前記側板の内面において前記第１斜面部の高さ範囲に囲まれる領域内に設けられている請求項1ないし３のいずれか1項記載のコネクタ。
【発明の詳細な説明】
【技術分野】
【０００１】
本発明は、コネクタに関する。
【背景技術】
【０００２】
従来より、リテーナ付きのコネクタが知られている。例えば、特許文献１に記載のコネクタは、端子金具を挿抜可能なキャビティを有するハウジングと、ハウジングに対して端子金具の挿抜方向と交差する側方から装着されるリテーナとを備えて構成されている。リテーナは、端子金具を係止可能な抜止部を有し、抜止部がキャビティ内に進入して端子金具を抜け止めする本係止位置と、抜止部がキャビティ外に退避して端子金具の挿抜を許容する仮係止位置とに移動可能とされている。また、リテーナにはハウジングの両側面を覆うように一対の側板が設けられ、両側板の内面にはリテーナを本係止位置と仮係止位置とに保持するロック部が突設されている。
【０００３】
ハウジングにおけるキャビティの内面にはランスが撓み可能に設けられている。キャビティ内に正規挿入された端子金具はランスによる係止によって一次的に抜け止めされ、さらにその後、仮係止位置から本係止位置に至ったリテーナの抜止部による係止によって二次的に抜け止めされるようになっている。
【特許文献１】特開２００８−９８０２１公報
【発明の開示】
【発明が解決しようとする課題】
【０００４】
ところで、複数のキャビティのうちの一部のキャビティ内に端子金具を挿入した後、このコネクタを別の作業場に搬送し、そこで残りのキャビティ内に端子金具を挿入することがある。この場合、ランスの一次係止力だけでは端子金具への十分な保持力を得ることができないため、工程移動の前に、リテーナを本係止位置に至らせて一部のキャビティ内に端子金具を二次係止した状態となし、工程移動の後に、リテーナを仮係止位置に戻して残りのキャビティ内に端子金具を挿入し、その後、再度リテーナを本係止位置に押し込むという作業が行われる。
【０００５】
しかし、リテーナの移動時には、ロック部の本係止状態を解除する必要があり、その解除操作には治具による煩雑な作業を伴うため、作業効率が悪いという事情がある。
【０００６】
本発明は上記のような事情に基づいて完成されたものであって、リテーナを移動する際の作業効率を改善することを目的とする。
【課題を解決するための手段】
【０００７】
上記の目的を達成するための手段として、請求項１の発明は、端子金具を挿抜可能なキャビティを有するハウジングと、前記ハウジングに対して前記端子金具の挿抜方向と交差する側方から装着され、かつ前記キャビティ内に進入して前記端子金具を抜け止めする本係止位置と、前記キャビティ外へ退避して前記端子金具の挿抜を許容する仮係止位置とに移動可能とされるリテーナとを備えたコネクタであって、前記リテーナは、前記ハウジングの両側面を覆うように組み付けられる一対の側板を有し、前記側板の内面には、前記ハウジングの両側面に設けられたロック受部を係止することで前記リテーナを前記本係止位置に保持するロック部が設けられ、前記側板は、前記仮係止位置から前記本係止位置への移動方向前方の端縁に、前記端子金具の挿入方向前方へ行くに従って前記仮係止位置側に向けて傾斜する第１斜面部を有するとともに、前記本係止位置から前記仮係止位置への移動方向前方の端縁に、前記端子金具の抜出方向前方へ行くに従って前記本係止位置側に向けて傾斜する第２斜面部を有している構成としたところに特徴を有する。
【０００８】
請求項２の発明は、請求項１に記載のものにおいて、前記ロック部と前記ロック受部の少なくとも一方は、所定以上の力が作用した場合にその本係止状態を解除するセミロック構造とされ、前記本係止位置から前記仮係止位置への移動方向に傾斜する斜面を有しているところに特徴を有する。
【０００９】
請求項３の発明は、請求項１又は２に記載のものにおいて、前記ロック部が、前記側板の内面における前記仮係止位置から前記本係止位置への移動方向前方の端縁寄りの位置に設けられているところに特徴を有する。
【００１０】
請求項４の発明は、請求項１ないし３のいずれか1項に記載のものにおいて、前記ロック部が、前記側板の内面において前記第１斜面部の高さ範囲に囲まれる領域内に設けられているところに特徴を有する。
【発明の効果】
【００１１】
＜請求項１の発明＞
側板は仮係止位置から本係止位置への移動方向前方の側縁に端子金具の挿入方向前方へ行くに従って仮係止位置側に向けて傾斜する第１斜面部を有しているため、リテーナを本係止位置から仮係止位置に移動させるにあたり、端子金具の挿入方向前方にコネクタを相対移動させ、同前方にて第１斜面部と対向する治具に第１斜面部を摺動させ、もって発揮されるカム作用によりロック部の本係止状態を解除させて、リテーナを仮係止位置側へ強制的に移動させることができる。また、側板は本係止位置から仮係止位置への移動方向前方の側縁に、端子金具の抜出方向前方へ行くに従って本係止位置側に向けて傾斜する第２斜面部を有しているため、リテーナを仮係止位置から本係止位置に移動させるにあたり、端子金具の抜出方向前方にコネクタを相対移動させ、同前方にて第２斜面部と対向する治具に第２斜面部を摺動させ、もって発揮されるカム作用により仮係止状態を解除させて、リテーナを本係止位置側へ強制的に移動させることができる。従って、コネクタと治具とを互いに接近・離間するだけでリテーナを本係止位置と仮係止位置とに移動させることができ、作業効率に優れる。また、従来と違って、ロック部に治具を直接作用させずに済むため、ロック部の変形、破損が防止される。
【００１２】
＜請求項２の発明＞
ロック部とロック受部の少なくとも一方が所定以上の力が作用した場合にその本係止状態を解除するセミロック構造とされ、本係止位置から仮係止位置への移動方向に傾斜する斜面を有しているから、ロック部とロック受部の本係止状態が斜面に沿って円滑に解除される。
【００１３】
＜請求項３の発明＞
ロック部が側板の内面における仮係止位置から本係止位置への移動方向前方の端縁寄りの位置に設けられているから、治具が作用する領域の近くに位置することとなり、ロック部の本係止状態が第１斜面部に作用する治具によってバランス良く解除される。
【００１４】
＜請求項４の発明＞
ロック部が、側板の内面において第１斜面部の高さ範囲に囲まれる領域内に設けられているから、ロック部の本係止状態が第１斜面部に作用する治具によっていっそうバランス良く解除される。
【発明を実施するための最良の形態】
【００１５】
＜実施形態１＞
本発明の実施形態１を図１ないし図１１によって説明する。本実施形態に係るコネクタ１０は、相手側コネクタ（図示せず）と嵌合可能とされ、ハウジング２０、リテーナ５０及び端子金具８０を備えて構成されている。なお、以下の説明において、前後方向については相手側コネクタとの嵌合面側を前方とする。
【００１６】
ハウジング２０は合成樹脂製であって、全体として角ブロック状をなし、図５に示すように、端子金具８０を挿入可能な複数のキャビティ２１を有するハウジング本体２２と、ハウジング本体２２の前面に被着される別体のフロント部材２３とを備えている。キャビティ２１はハウジング本体２２において上下２段に分かれて整列に配置されている。ハウジング本体２２の上面には、フロント部材２３の上面上方の位置から後方へ向けて片持ち状に延びるロックアーム２４が形成されている。ロックアーム２４の上面にはロック突起２５が設けられており、ロック突起２５が相手側コネクタと弾性的に係止することで、両コネクタが嵌合状態に保持されるようになっている。
【００１７】
ハウジング本体２２におけるキャビティ２１の内面には撓み可能なランス２６が前方へ向けて片持ち状に突出して形成されている。フロント部材２３は、ランス２６の前方に位置してランス２６の前面が露出するのを防止する役割を担っている。またフロント部材２３は、キャビティ２１の前部を分担するとともに、その前面に相手側端子金具（図示せず）の雄タブを挿通可能なタブ挿通孔２７を有している。
【００１８】
キャビティ２１内に挿入される端子金具８０は、導電性の金属板を曲げ加工等して一体に形成され、雄タブを受容して相手側端子金具と接続可能な筒状の接続本体部８１と、接続本体部８１よりも後方に位置して電線９０の端末にかしめ付けして接続されるオープンバレル状のバレル部８２とを有している。接続本体部８１の側壁には、ランス２６に係止されるランス受部８３が設けられている。また、接続本体部８１の後端縁は、リテーナ５０に係止されるリテーナ受部８４とされている。
【００１９】
ハウジング本体２２の両側面の前後方向中間部には、図９に示すように、リテーナ５０が装着される装着面２８が構成されている。ハウジング本体２２の両側面のうち装着面２８を挟んだ両側には、装着面２８よりも一段高い位置に外面を有する前後一対のガイド壁２９が構成され、両ガイド壁２９の対向縁には、リテーナ５０を前後方向に挟みつつその移動動作を案内するレール部３１が高さ方向に沿って形成されている。
【００２０】
そして、ハウジング本体２２の下面には、リテーナ５０が装着される装着孔３２が凹設されている。装着孔３２は、ハウジング本体２２の下面と両装着面２８との三面に跨って開口され、上下２段の全キャビティ２１に通じる深さをもって構成されている。
【００２１】
また、ハウジング本体２２の装着面２８のうち装着孔３２よりも後方の上端部には、仮係止部３３と本係止部３４とが高さ方向に並んで設けられている。仮係止部３３は、本係止部３４よりも下方に位置し、図６に示すように、その上面が端子金具８０の挿抜方向に沿った略水平な仮係止受面３５とされ、その下面が突出端側へ行くに従って本係止部３４寄り（上向き）に傾斜する仮案内受面３６とされている。一方、本係止部３４は、その上面が突出端側へ行くに従って仮係止部３３寄り（下向き）に傾斜する本係止受面３７とされ、その下面が突出端側へ行くに従って仮係止部３３から離れる向き（上向き）に仮案内受面３６よりも緩い角度で傾斜する本案内受面３８とされている。仮係止部３３と本係止部３４との間の空間には、後述するロック部５５が適合して嵌合されるようになっている。
【００２２】
ハウジング本体２２の両側面には、前後方向（端子金具８０の挿抜方向）に延びる治具通し溝３９が形成されている。治具通し溝３９は、その底面が装着面２８と面一で連続し、かつその内下縁が前側のガイド壁２９の上縁によって仕切られているとともに、その内上縁がハウジング本体２２の前後方向の全長に亘って延出する庇部４１の下縁によって仕切られている。
【００２３】
リテーナ５０は合成樹脂製であって、いわゆるサイドリテーナと称され、ハウジング本体２２の装着孔３２に対して端子金具８０の挿抜方向と交差する側方、図示する場合は下方から装着され、仮係止位置と本係止位置との間を高さ方向（リテーナ５０のハウジング２０への装着離脱方向）に移動可能とされている。このリテーナ５０は、図１０及び図１１に示すように、幅方向に延びてハウジング本体２２の下面を覆うリテーナ本体５１と、リテーナ本体５１の幅方向の両端と一体に連なってハウジング本体２２（ハウジング２０）の両側面を覆う一対の側板５２とを有している。リテーナ本体５１には、下段のキャビティ２１と対応する位置毎に、端子金具８０を挿通可能な複数の挿通孔５３が横一列に並んで設けられている。各挿通孔５３の内面下縁には、本係止位置にて下段のキャビティ２１に挿入された端子金具８０を係止可能な抜止部５４が突出して設けられ、リテーナ本体５１の上端にも、下段の抜止部５４と対向する位置に、本係止位置にて上段のキャビティ２１に挿入された端子金具８０を係止可能な抜止部５４が突出して設けられている。
【００２４】
側板５２は、装着面２８を覆う平板状であって、リテーナ本体５１の上端よりも上方に突出する形態をなし、その内面における上縁寄りの位置には、仮係止部３３及び本係止部３４と係止可能なロック部５５が突出して設けられている。図７に示すように、ロック部５５の上面は突出端側へ行くに従ってリテーナ本体５１寄り（下向き）に傾斜する案内面５６とされ、ロック部５５の下面は端子金具８０の挿抜方向に沿った略水平な係止面５７とされている。ロック部５５の係止面５７が仮係止部３３の仮係止受面３５を係止することでリテーナ５０が仮係止位置に抜け止め状態で保持され、ロック部５５の係止面５７が本係止部３４の本係止受面３７を係止することでリテーナ５０が本係止位置に仮係止位置側への移動を規制された状態で保持されるようになっている。
【００２５】
また、リテーナ５０がハウジング２０の下方から仮係止位置に向かう過程では、ロック部５５の案内面５６が仮係止部３３の仮案内受面３６を摺動することで、側板５２がリテーナ本体５１との連結部位を基端として外側に弾性的に拡開され、リテーナ５０が仮係止位置に至るに伴い、側板５２が弾性復元してロック部５５が仮係止部３３を係止するようになっている。同様に、リテーナ５０が仮係止位置から本係止位置に向かう過程では、ロック部５５の案内面５６が本係止部３４の本案内受面３８を摺動することで、側板５２がリテーナ本体５１との連結部位を基端として外側に弾性的に拡開され、リテーナ５０が本係止位置に至るに伴い、側板５２が弾性復元してロック部５５が本係止部３４を係止するようになっている。
【００２６】
そして、側板５２は、図１に示すように、前縁であって高さ方向に沿って配置される第１垂直部６１と、後縁であって高さ方向に沿って第１垂直部６１と平行に配置される第２垂直部６２と、上縁であって前後方向に沿って配置されかつ第２垂直部６２の上端と略直角に連なる第１水平部６３と、下縁であって前後方向に沿って配置されかつ第１垂直部６１の下端と略直角に連なる第２水平部６４と、第１水平部６３の前端から第１垂直部６１の上端にかけて前下がりに傾斜する第１斜面部６５と、第２水平部６４の後端から第２垂直部６２の下端にかけて後上がりに傾斜する第２斜面部６６とによって縁取られている。
【００２７】
言い換えれば、第１垂直部６１は端子金具８０の挿入方向前方の端縁であり、第２垂直部６２は端子金具８０の抜出方向前方の端縁であり、第１水平部６３及び第１垂直部６１はリテーナ５０の仮係止位置から本係止位置への移動方向前方の端縁であり、第２水平部６４及び第２垂直部６２はリテーナ５０の本係止位置から仮係止位置への移動方向前方の端縁である。また、第１斜面部６５は、端子金具８０の挿入方向前方へ行くに従って仮係止位置側、つまり本係止位置から仮係止位置に向かう側に傾斜する斜面であり、第２斜面部６６は、端子金具８０の抜出方向後方へ行くに従って本係止位置側、つまり仮係止位置から本係止位置に向かう側に傾斜する斜面である。上述したロック部５５は、両側板５２の内面において、第１斜面部６５の斜面途中から両側板５２の後端にかけて前後方向に延出する形態とされている。つまり、ロック部５５は、両側板５２の内面において第１斜面部６５の高さ範囲Ｈ（リテーナ５０の移動方向に沿った高さ範囲であって図１を参照）に囲まれる領域内に設置されている。
【００２８】
第１垂直部６１は、前側のガイド壁２９のレール部３１内に下方から進入してここを摺動可能とされ、第２垂直部６２は、後側のガイド壁２９のレール部３１内に下方から進入してここを摺動可能とされている。第１水平部６３は、第１斜面部６５の２倍以上の長さを有し、本係止位置及び仮係止位置のいずれにおいても庇部４１との間に隙間をあけつつ庇部４１と平行に対峙して配され、第２水平部６４は、第２斜面部６６の２倍以上の長さを有し、仮係止位置ではハウジング本体２２の下面よりも下方に突出し、本係止位置ではハウジング本体２２の下面と面一で連なるように配される。そして、第１斜面部６５は、本係止位置にて治具通し溝３９を通して前方に臨むように配置され、第２斜面部６６は、第１斜面部６５よりもややきつい傾斜角をもって、仮係止位置にてハウジング本体２２より下方に露出して後方に臨むように配置される。
【００２９】
次に、本実施形態の作用を説明する。
まず、ハウジング本体２２の装着孔３２に下方からリテーナ５０を挿入し、ハウジング２０にリテーナ５０を組み付ける。このとき、両側板５２の内面がハウジング本体２２の装着面２８に密着し、リテーナ５０がハウジング本体２２を抱持するように装着される。両側板５２の撓み動作を伴ったあとロック部５５が仮係止部３３を引掛け状態で係止すると、リテーナ５０は仮係止位置に保持される。この状態で、ハウジング本体２２のキャビティ２１内に後方から端子金具８０を挿入する。正規挿入された端子金具８０はそのランス受部８３にランス２６が弾性的に係止することで一次的に抜け止め保持される。
【００３０】
こうして複数のキャビティ２１のうちの一部のキャビティ２１内に端子金具８０を挿入したら、リテーナ５０を本係止位置に押し込む。両側板５２の撓み動作を伴ったあとロック部５５が本係止部３４を引掛け状態で係止すると、リテーナ５０は本係止位置に保持される。このとき、本係止部３４は、その本係止受面３７が仮係止位置側へ傾斜するセミロック構造とされるため、所定以上の力が作用した場合にはロック部５５との本係止状態を解除可能とされる。また、リテーナ５０が本係止位置に至ると、抜止部５４がリテーナ受部８４とその後方に対峙して端子金具８０が二次的に抜け止め保持される。
【００３１】
続いて、上記によってリテーナ５０を本係止位置に至らせたコネクタ１０を別の作業場に搬送し、そこで残りのキャビティ２１内に端子金具８０を挿入する。端子金具８０を挿入するにあたり、リテーナ５０を本係止位置から仮係止位置に戻す必要があるが、それには以下の治具７０が用意される。すなわち、治具７０は、後方に向けて開口する角筒状の組付凹部７１と、組付凹部７１の上壁に位置して前後方向に細長く延び、リテーナ５０の本係止状態を解除する幅方向に一対の本係止解除部７２と、組付凹部７１の下壁に貫設され、仮係止位置へ向かうリテーナ５０が進入する逃がし孔７３と、組付凹部７１の下壁に位置して逃がし孔７３の内後縁を仕切りつつ後方に延び、リテーナ５０の仮係止状態を解除する幅方向に一対の仮係止解除部７４とを有している。
【００３２】
図１に示すように、治具７０とコネクタ１０とを互いに正対させ、その状態から双方を互いに接近させる。すると、図２に示すように、ハウジング本体２２が仮係止解除部７４の上面に摺動しながら組付凹部７１の組付空間７６内に嵌合する。また、ハウジング本体２２の治具通し溝３９内には、前方から本係止解除部７２が嵌合状態で進入する。
【００３３】
さらに、治具７０とコネクタ１０とが接近すると、本係止解除部７２の前端下縁が第１斜面部６５に沿って摺動し、それに伴って本係止解除部７２と第１斜面部６５との間でカム作用が発揮され、リテーナ５０に対して仮係止位置側（下方）への押圧力が付与される。すると、ロック部５５の係止面５７が本係止部３４の本係止受面３７を摺動することによって円滑にロック部５５と本係止部３４との本係止状態が解除され、両側板５２の拡開動作を伴いながらリテーナ５０が仮係止位置側へ移動される。リテーナ５０が仮係止位置に至ると、図３に示すように、組付凹部７１の奥面にコネクタ１０が当接するとともに、本係止解除部７２の先端下縁が第１水平部６３に当接し、かつ逃がし孔７３内にリテーナ５０の下端部が進入して、仮係止解除部７４の後端が第２斜面部６６と間隔をあけて前後方向で互いに対向する。
【００３４】
上記の状態で端子金具８０を挿入したら、今度はコネクタ１０と治具７０とを互いに離脱させる。これによってハウジング本体２２が組付凹部７１から後方へ相対変位されると、図４に示すように、仮係止解除部７４の後端上縁が第２斜面部６６に沿って摺動し、それに伴って仮係止解除部７４と第２斜面部６６との間でカム作用が発揮され、リテーナ５０に対して本係止位置側（上方）への押圧力が付与される。すると、ロック部５５の案内面５６が仮係止部３３の仮案内受面３６を摺動することによって円滑にロック部５５と仮係止部３３との仮係止状態が解除され、両側板５２の拡開動作を伴いながらリテーナ５０が本係止位置側へ移動される。こうしてコネクタ１０が治具７０から完全に離脱されると、リテーナ５０が本係止位置側に強制的に至らしめられることとなる。
【００３５】
以上説明したように本実施形態によれば、リテーナ５０の両側板５２の上端が前下がりの第１斜面部６５を有しているため、リテーナ５０を本係止位置から仮係止位置に移動させるにあたり、前方にコネクタ１０を移動させて、第１斜面部６５と対向する治具７０の本係止解除部７２に第１斜面部６５を摺動させ、もって発揮されるカム作用によりロック部５５の本係止状態を解除させて、リテーナ５０を仮係止位置側へ強制的に移動させることができる。
【００３６】
また、リテーナ５０の両側板５２の下端が後上がりの第２斜面部６６を有しているため、リテーナ５０を仮係止位置から本係止位置に移動させるにあたり、後方にコネクタ１０を移動させて、第２斜面部６６と対向する治具７０の仮係止解除部７４に第２斜面部６６を摺動させ、もって発揮されるカム作用によりロック部５５の仮係止状態を解除させて、リテーナ５０を本係止位置側へ強制的に移動させることができる。従って、コネクタ１０と治具７０とを互いに接近・離間する向きに相対変位させるだけでリテーナ５０を本係止位置と仮係止位置とに移動させることができ、作業効率に優れる。しかも、ロック部５５に治具７０を直接作用させずに済むため、ロック部５５の変形、破損が防止される。
【００３７】
また、本係止部３４が所定以上の力が作用した場合にその本係止状態を解除するセミロック構造とされ、本係止位置から仮係止位置への移動方向に傾斜する本係止受面３７を有しているから、ロック部５５の本係止状態が本係止受面３７に沿って円滑に解除される。
【００３８】
さらに、ロック部５５が両側板５２の内面における上端寄りの位置に設けられているから、治具７０の本係止解除部７２が作用する領域の近くに位置することとなり、ロック部５５の本係止状態が第１斜面部６５に作用する本係止解除部７２によってバランス良く解除される。
【００３９】
さらにまた、ロック部５５が、両側板５２の内面において第１斜面部６５の高さ範囲Ｈに囲まれる領域内に設けられているから、ロック部５５の本係止状態が第１斜面部６５に作用する本係止解除部７２によっていっそうバランス良く解除される。
【００４０】
＜他の実施形態＞
本発明は上記記述及び図面によって説明した実施形態に限定されるものではなく、例えば次のような実施形態も本発明の技術的範囲に含まれる。
（１）第１斜面部と第２斜面部の少なくともいずれか一方は曲面状に形成されていてもよい。
（２）ロック部はセミロック構造とされ、本係止位置から仮係止位置への移動方向に傾斜する斜面を有していてもよい。また、ロック部と本係止部のいずれもセミロック構造とされていてもよい。
（３）治具は端子金具の挿抜方向で第１斜面部と当接可能な単なる棒状に形成されているだけでもよい。
【図面の簡単な説明】
【００４１】
【図１】本発明の実施形態１において、コネクタが治具と係合する前の状態を示す側面図である。
【図２】コネクタが治具と係合して本係止解除部の先端が第１斜面部を摺動する直前の状態を示す側面図である。
【図３】本係止解除部が第１斜面部を摺動し終わってリテーナが仮係止位置に移動した状態を示す側面図である。
【図４】仮係止解除部が第２斜面部を摺動してリテーナが本係止位置に移動する途中の状態を示す側面図である。
【図５】本係止位置にリテーナを装着したコネクタの側断面図である。
【図６】リテーナを仮係止位置に装着したコネクタの縦断面図である。
【図７】リテーナを本係止位置に装着したコネクタの縦断面図である。
【図８】ハウジングの正面図である。
【図９】ハウジングの側面図である。
【図１０】リテーナの正面図である。
【図１１】リテーナの平面図である。
【符号の説明】
【００４２】
１０…コネクタ
２０…ハウジング
２１…キャビティ
３３…仮係止部
３４…本係止部（ロック受部）
３７…本係止受面（斜面）
５０…リテーナ
５２…側板
５５…ロック部
６５…第１斜面部
６６…第２斜面部
７０…治具
７２…本係止解除部
７４…仮係止解除部
【図１】
2010062055.tif 000003
【図２】
2010062055.tif 000004
【図３】
2010062055.tif 000005
【図４】
2010062055.tif 000006
【図５】
2010062055.tif 000007
【図６】
2010062055.tif 000008
【図７】
2010062055.tif 000009
【図８】
2010062055.tif 000010
【図９】
2010062055.tif 000011
【図１０】
2010062055.tif 000012
【図１１】
2010062055.tif 000013